(57)【要約】【課題】  本考案は、永久磁石の磁着力を利用して荷締用ベルト等の荷締用長尺体を貨物用自動車の荷台等に固定する荷締用長尺体固定具につき、使用者が該荷台等に自在に固定させることができるようにした荷締用長尺体固定具を提供するものである。【解決手段】  本考案に係る荷締用長尺体固定具１は、係止具３と磁石体４とが取り付けられた固定具本体２と、固定具本体２に回動可能なように取り付けられたアーム５と、アーム５の一端に取り付けられたハンドル６と、アーム５の他端に被着磁面に対して回動可能なように取り付けられたローラ７とを有する。荷締用長尺体固定具１は、梃子の原理を利用したものであり、使用者がハンドル６を持ち上げると、アーム５が固定回転軸５ａを回転支点軸にしてハンドル６側が上昇するのに伴い、ローラ７が被着磁面に対して回動することにより、磁石体４を被着磁面から引き離し、その取外しを行うことができる。【選択図】      図１
0003146631.tif 000002
【実用新案登録請求の範囲】
【請求項１】
永久磁石の磁着力を利用した荷締用長尺体固定具であって、固定具本体と、荷締用長尺体を係止するための該固定具本体の上面に取り付けられた係止具と、該荷締用長尺体固定具を磁着するための該固定具本体の下面に取り付けられた磁石体と、該固定具本体に固定回転軸を介して回動可能なように取り付けられたアームと、使用者が把持するための該アームの一端に取り付けられたハンドルと、被着磁面に対して回動可能なように該アームの他端に固定回転軸を介して取り付けられたローラとから構成されていることを特徴とする荷締用長尺体固定具。
【請求項２】
前記固定具本体が下面に開口部を有するとともに側面に貫通孔の穿設された箱状の容器であって、該固定具本体内部には複数の磁石体ユニットが収納されており、該磁石体ユニットは磁石体が磁石体ホルダの下面に取り付けられるとともに磁石体ユニット抜け止輪が上部に取り付けられた円柱状の磁石体支持柱が該磁石体ホルダの上面に取り付けられており、平面視円形状の貫通孔が複数穿設された磁石体ユニット脱落防止板は該固定具本体内部に架設されており、平面視水滴形状の貫通孔が複数穿設された磁石体ユニットストッパ板は一端が該固定具本体内壁に弾性部材を介して取り付けられるとともに他端が該固定具本体貫通孔から突き出して該磁石体ユニット脱落防止板上に擦動可能なように載置されており、該磁石体支持柱は該磁石体ユニット脱落防止板貫通孔と該磁石体ユニットストッパ板貫通孔の双方に挿通されていることを特徴とする請求項１に記載の荷締用長尺体固定具。
【請求項３】
前記磁石体の着磁面及び前記ローラの接地面の全部又は一部が保護フィルムによって覆われていることを特徴とする請求項１又は２に記載の荷締用長尺体固定具。
【考案の詳細な説明】
【技術分野】
【０００１】
本考案は、ラッシングベルト等の荷締用ベルト、ロープ、ワイヤロープ等の荷締用長尺体を貨物用自動車の荷台又は荷台のあおり等に固定するための固定具に関し、永久磁石の磁着力を利用して該固定を行う荷締用長尺体固定具に関する。
【背景技術】
【０００２】
一般に、貨物用自動車等の荷台に荷物を積載して輸送する際、輸送の途上で、積荷が荷崩れを起こすことを防止し、また、積荷が荷台から脱落することを防止するために、ラッシングベルト等の荷締用ベルト、ロープ、ワイヤロープ等の荷締用長尺体を荷台に固定し、積荷上を架け渡して、荷台に緊締することが行われている。ここで、該荷締用長尺体を荷台に固定するに当たっては、一般に、該荷締用長尺体の端部に取り付けられたフック部材を荷台の外縁又は荷台のあおりの外側面に取り付けられた掛け輪等の係止具に引っ掛けて係止する方法、あるいは該荷締用長尺体の端部を該係止具に結び付けて係止する方法等が行われている。
【０００３】
そこで、従来、該荷締用長尺体を貨物用自動車の荷台等に固定するために永久磁石の磁着力を利用した固定具としては、上記のような積荷を荷台に緊締する作業を簡便にするために、該荷締用長尺体を荷台等に固定する際の仮止めを行うための固定具が提案されており（例えば、特許文献１及び２参照。）、また、該荷締用長尺体の端部に取り付けられたフック部材による荷台等への固定を永久磁石の磁着力をもって補助するための固定具が提案されている（例えば、特許文献３参照。）。
【０００４】
【特許文献１】実公平６−７００１号公報
【特許文献２】実登第３１３６６０９号公報
【特許文献３】実登第３０７５５８４号公報
【考案の開示】
【考案が解決しようとする課題】
【０００５】
しかしながら、上記の従来技術に係る永久磁石の磁着力を利用した荷締用長尺体固定具は、あくまでも、前記の荷締用長尺体を貨物用自動車の荷台等に固定する作業を行う際の仮止めのために永久磁石の磁着力を利用する固定具であるか、あるいは他の固定手段による該荷締用長尺体の荷台等への固定を補助するために永久磁石の磁着力を利用する固定具であって、永久磁石の磁着力のみを利用して該荷締用長尺体を荷台等に固定する固定具ではなかった。
【０００６】
そのため、従来技術に係る永久磁石の磁着力を利用した荷締用長尺体固定具は、結局のところ、掛け輪等の係止具が取り付けられている荷台等にしか該荷締用長尺体を固定できないという問題があった。本考案の第一の課題は、永久磁石の磁着力を利用した荷締用長尺体固定具につき、該係止具が取り付けられていない荷台等にも該荷締用長尺体を固定することができる荷締用長尺体固定具を提供することにある。
【０００７】
同時に、従来技術に係る永久磁石の磁着力を利用した荷締用長尺体固定具は、該係止具が取り付けられている荷台等であっても、該係止具が取り付けられていない箇所には、該荷締用長尺体を固定することができなかったため、使用者は、必ずしも所望の位置に該荷締用長尺体を固定することができなかった。本考案の第二の課題は、永久磁石の磁着力を利用した荷締用長尺体固定具につき、使用者の所望の位置に該荷締用長尺体を固定することができる荷締用長尺体固定具を提供することにある。
【０００８】
また、一般に、該係止具は荷台の外縁又は荷台のあおりの外側面に取り付けられていることが多いところ、使用者は、積荷を荷台に緊締する際に、荷台に該荷締用長尺体を架け渡さなければならなかったため、積荷を荷台に緊締する作業には時間と労力が費やされていた。本考案の第三の課題は、永久磁石の磁着力を利用した荷締用長尺体固定具につき、積荷を荷台に緊締する作業をより簡便に行うことができる荷締用長尺体固定具を提供することにある。
【０００９】
更に、該係止具が荷台の外縁又は荷台のあおりの外側面に取り付けられている場合に、該荷締用長尺体を該係止具に係止すると、積荷の高さが荷台のあおりの高さよりも低いときには、該荷締用長尺体と積荷との間には空間が生じてしまい、積荷を強固に緊締することができなかったため、輸送の途上で、積荷が荷崩れを起こし、また、積荷が荷台から脱落することもあった。本考案の第四の課題は、永久磁石の磁着力を利用した荷締用長尺体固定具につき、積荷の高さが荷台のあおりの高さよりも低い場合にあっても、荷締用長尺体が積荷を強固に緊締することができる荷締用長尺体固定具を提供することにある。
【００１０】
そして、荷台及び荷台のあおりには凹凸のある箇所もあるところ、該荷締用長尺体固定具の着磁面が単一の平面状の磁石体から構成されていたのでは、該凹凸のある箇所には十分に該荷締用長尺体固定具を磁着させることができない。本考案の第五の課題は、永久磁石の磁着力を利用した荷締用長尺体固定具につき、荷台等の凹凸のある箇所であっても、充分に磁着力を発揮することができる荷締用長尺体固定具を提供することにある。
【課題を解決するための手段】
【００１１】
本考案の第一から第四までの課題を解決するため、請求項１に係る永久磁石の磁着力を利用した荷締用長尺体固定具は、固定具本体と、係止具と、磁石体と、アームと、ハンドルと、ローラとから構成される。該係止具は、前記荷締用長尺体を係止するための部材であり、該固定具本体の上面に取り付けられている。該磁石体は、該荷締用長尺体固定具を磁着するための部材であり、該固定具本体の下面に取り付けられている。該アームは、該固定具本体に固定回転軸を介して回動可能なように取り付けられている。該ハンドルは、使用者が把持するための部材であり、該アームの一端に取り付けられている。該ローラは、被着磁面に対して回動可能なように該アームの他端に取り付けられている。
【００１２】
本考案の第五の課題を解決するため、請求項２に係る永久磁石の磁着力を利用した荷締用長尺体固定具は、請求項１に係る荷締用長尺体固定具であって、該固定具本体は、下面に開口部を有するとともに側面に貫通孔の穿設された箱状の容器であって、内部には複数の磁石体ユニットが収納されている。該磁石体ユニットは、磁石体と、磁石体ホルダと、磁石体支持柱と、磁石体ユニット抜け止輪とからなり、該磁石体は磁石体ホルダの下面に取り付けられ、磁石体ユニット抜け止輪が上部に取り付けられた円柱状の該磁石体支持柱は該磁石体ホルダの上面に取り付けられている。磁石体ユニット脱落防止板は、平面視円形状の貫通孔が複数穿設されており、該固定具本体内部に架設されている。磁石体ユニットストッパ板は、平面視水滴形状の貫通孔が複数穿設されており、一端が該固定具本体内壁に弾性部材を介して取り付けられるとともに、他端が該固定具本体貫通孔から突き出しており、磁石体脱落防止板上に擦動可能なように載置されている。該磁石体ユニット脱落防止板貫通孔と該磁石体ユニットストッパ板貫通孔の双方には、該磁石体支持柱が挿通されている。
【００１３】
請求項３に係る永久磁石の磁着力を利用した荷締用長尺体固定具は、請求項１又は２に記載の荷締用長尺体固定具であって、該磁石体の着磁面及び該ローラの接地面の一部又は全部が保護フィルムによって覆われているものとする。
【考案の効果】
【００１４】
請求項１に記載した本考案に係る永久磁石の磁着力を利用した荷締用長尺体固定具は、上記の通りの構成であるから、以下のような効果を得ることができる。
【００１５】
請求項１に記載した荷締用長尺体固定具は、永久磁石の磁着力のみを利用して前記荷締用長尺体を固定する荷締用長尺体固定具であるから、一般には、貨物用自動車の荷台及び荷台のあおり等が鉄等の強磁性を有する金属によって作製されているところ、該荷締用長尺体固定具を貨物自動車の荷台等に自在に固定させることができる。
【００１６】
ここで、永久磁石の磁着力のみを利用して、荷締用長尺体を荷台に固定し、もって積荷を強固に緊締するためには、該磁石体として、例えば、ネオジム磁石をはじめとする希土類磁石等の強力な磁着力を有する永久磁石を用いる必要がある。しかしながら、同時に、該磁石体として強力な磁着力を有する永久磁石を用いた場合には、該荷締用長尺体固定具の荷台等からの取り外しが困難になるという問題がある。
【００１７】
そこで、請求項１に記載した荷締用長尺体固定具は、梃子の原理を利用し、その取り外しの際、使用者が力点に当たる該ハンドルを持ち上げると、該アームが該固定回転軸を回転支点軸にして該ハンドル側が上昇するのに伴い、支点に当たる該ローラが荷台等の被着磁面に対して回動することにより、作用点に当たる該磁石体を被着磁面から引き離し、該荷締用長尺体固定具の取外しを行うことができるようにしたものである。
【００１８】
従って、請求項１に記載した永久磁石の磁着力を利用した荷締用長尺体固定具は、荷締用長尺体を荷台等に取り付けられた掛け輪等の係止具に固定させる必要はなくなるから、該荷締用長尺体固定具につき、該係止具が取り付けられていない荷台等にも該荷締用長尺体を固定することができる荷締用長尺体固定具を提供するという本考案の第一の課題を解決することができる。
【００１９】
同時に、請求項１に記載した荷締用長尺体固定具は、被着磁面となる荷台等が鉄等の強磁性を有する材料で形成されているならば、荷台等のどこにでも磁着させることができる。従って、請求項１に記載した荷締用長尺体固定具は、永久磁石の磁着力を利用した荷締用長尺体固定具につき、使用者の所望の位置に自在に該荷締用長尺体を固定することができる荷締用長尺体固定具を提供するという本考案の第二の課題を解決することができる。
【００２０】
また、請求項１に記載した荷締用長尺体固定具は、上記のとおり、貨物用自動車の荷台等のどこにでも磁着させることができるから、必ずしも、該荷締用長尺体を該荷台に架け渡す必要はなくなり、積荷を荷台に緊締する作業にかかる時間と労力を節約することができる。従って、請求項１に記載した荷締用長尺体固定具は、永久磁石の磁着力を利用した荷締用長尺体固定具につき、積荷を荷台に緊締する作業をより簡便に行うことができる荷締用長尺体固定具を提供するという本考案の第三の課題を解決することができる。
【００２１】
更に、請求項１に記載した荷締用長尺体固定具を使用した際には、前記のように、荷台の外縁又は荷台のあおりの外側面に取り付けられている掛け輪等の係止具に該荷締用長尺体を係止させる必要はなくなるところ、使用者は、積荷の高さが該荷台のあおりの高さよりも低い場合には、例えば、該荷台の底面やあおりの内側面に該荷締用長尺体固定具を磁着させ、該荷締用長尺体固定具に該荷締用長尺体を係止させることにより、該荷締用長尺体と積荷との間に空間を生じることがないよう強固に緊締することができる。従って、請求項１に記載した荷締用長尺体固定具は、永久磁石の磁着力を利用した荷締用長尺体固定具につき、積荷の高さが荷台のあおりの高さよりも低い場合にあっても、荷締用長尺体が積荷を強固に緊締することができる荷締用長尺体固定具を提供するという本考案の第四の課題を解決することができる。
【００２２】
請求項２に記載した荷締用長尺体固定具は、請求項１に係る荷締用長尺体固定具であって、該固定具本体内部に別々に上下に可動する複数の磁石体ユニットを収納するものであるから、被着磁面となる荷台等において凹凸のある箇所に磁着させる際には、その凹凸面に応じてそれぞれの磁石体ユニットが上下に可動し、着磁面を被着磁面に充分に接しさせることができる。従って、請求項２に記載した荷締用長尺体固定具は、永久磁石の磁着力を利用した荷締用長尺体固定具につき、荷台等の凹凸のある箇所であっても、充分に磁着力を発揮することができる荷締用長尺体固定具を提供するという本考案の第五の課題を解決することができる。
【００２３】
請求項３に記載した荷締用長尺体固定具は、請求項１又は２に係る荷締用長尺体固定具であって、該磁石体の着磁面及び該ローラの接地面の全部又は一部が保護フィルムによって覆われているものであるから、該磁石体の着磁面及び該ローラの接地面と該荷台等の被着磁面とが摩擦により傷付くことを防止することができ、好適である。
【考案を実施するための最良の形態】
【００２４】
まず、本考案に係る荷締用長尺体固定具の第一実施形態について添付図面に基づいて以下に説明する。図１は、本考案の第一実施形態に係る荷締用長尺体固定具を示した全体斜視図である。図２は、図１の平面図である。図３は、図１の底面図である。図４は、図１に係る荷締用長尺体固定具の取外し時の作用説明図である。
【００２５】
本考案の第一実施形態に係る荷締用長尺体固定具１は、固定具本体２と、係止具３と、磁石体４と、アーム５と、ハンドル６と、ローラ７とから構成される。
【００２６】
固定具本体２は、図１から４に図示するように、係止具３と、磁石体４とを取り付けるための箱状の部材である。
【００２７】
係止具３は、図１、２、及び４に図示するように、荷締用長尺体を係止するための部材であって、荷締用ベルトに取り付けられたフックを引っ掛け、あるいは荷締用ロープを結び付けるための部材であり、固定具本体２の上面に取り付けられている。尚、係止具３としては、例えば、リング状の部材又はフック状の部材といった荷締用長尺体を係止することができる形状をした部材を用いる。
【００２８】
磁石体４は、ネオジム磁石をはじめとする希土類磁石等の強力な磁着力を有する永久磁石を用いる。磁石体４は、図１、３及び４に図示するように、固定具本体２の下面に取り付けられている。磁石体４は、着磁面積を大きくするという観点から、平板状の磁石体を用いるのが好適である。また、磁石体４の着磁面を図示しない保護フィルムで覆うと、磁石体４の着磁面と荷台等の被着磁面とが摩擦により傷付くことを防止することができ、好適である。該保護フィルムとしては、例えば、ビニル樹脂製のフィルム基材にアクリル製の接着剤を塗布した公知の表面保護フィルムを用いることができる。
【００２９】
アーム５は、図１から４に図示するように、長尺の部材であって、固定具本体２に回動可能なように取り付けられた固定回転軸５ａを介して、固定具本体２を挟んで二つ取り付けられている。
【００３０】
ハンドル６は、図１から４に図示するように、荷締用長尺体固定具１の取外し時に使用者が把持する円筒状の部材であって、アーム５の一端に取り付けられており、二つのアーム５に挟持されている。尚、ハンドル６は、荷締用長尺体固定具１の取外し時に使用者の手が滑ることを防止するという観点から、例えば、凹凸のあるゴムシートによりその表面を覆う等の滑り止め加工を施すと、好適である。
【００３１】
ローラ７は、図１から４に図示するように、荷締用長尺体固定具１の取り外し時に被着磁面に対して回動する円筒状の部材であり、ハンドル６が取り付けられたアーム５の他端に回動可能なように取り付けられた固定回転軸７ａを介して取り付けられており、二つのアーム５に挟持されている。ローラ７は、図示しない保護フィルムによってその接地面を覆うと、ローラ７の接地面と荷台等の被着磁面とが摩擦により傷付くことを防止することができ、好適である。
【００３２】
図４に図示するように、使用者が力点に当たるハンドル６を矢印方向に持ち上げると、アーム５が固定回転軸５ａを回転支点軸にしてハンドル６側が上昇するのに伴い、支点に当たるローラ７が荷台等の被着磁面に対して回動し、作用点に当たる磁石体４が被着磁面から引き離されることにより、荷締用長尺体固定具１を取り外すことができる。荷締用長尺体固定具１は、第二種梃子であり、梃子の原理を利用するものであるから、作用点に当たる磁石体４に前記のような強力な磁着力を有する永久磁石を用いていても、荷締用長尺体固定具１を取り外すことができる。
【００３３】
以上が、本考案に係る荷締用長尺体固定具の第一実施形態についての説明である。次に、本考案に係る荷締用長尺体固定具の第二実施形態について添付図面に基づいて以下に説明する。図５は、本考案の第二実施形態に係る荷締用長尺体固定具を示した全体斜視図である。図６は、図５の底面図である。図７は、図５に係る荷締用長尺体固定具における固定具本体の横方向の断面図である。図８は、図５に係る荷締用長尺体固定具における固定具本体の縦方向の断面図である。図９は、図５に係る荷締用長尺体固定具の磁着時における磁石体ユニット脱落防止板及び磁石体ユニットストッパ板の作用説明斜視図である。図１０は、図９の作用説明平面図である。図１１は、図５に係る荷締用長尺体固定具の着脱時における磁石体ユニット脱落防止板及び磁石体ユニットストッパ板の作用説明斜視図である。図１２は、図１１の作用説明平面図である。尚、第二実施形態は、下記の事項以外、前記の第一実施形態と同一である。
【００３４】
固定具本体２は、図５から８、９、及び１１に図示するように、固定具本体２内部の磁石体ユニット収納空間２ａに磁石体ユニット８を収納するための容器であり、下面には固定具本体開口部２ｂがあり、側面に固定具本体貫通孔２ｃが一箇所穿設された箱状の容器である。
【００３５】
磁石体ユニット８は、図７及び８に図示するように、磁石体ユニット収納空間２ａ内に、複数収納されている。磁石体ユニット８の数は、特に、図示した数に限定されるものではない。磁石体ユニット８は、磁石体８ａと、磁石体ホルダ８ｂと、磁石体支持柱８ｃと、磁石体ユニット抜け止輪８ｄとからなる。磁石体ホルダ８ｂは、磁石体８ａを下面に取り付ける箱状の部材であり、磁石体８ａ同士が磁着することを防ぐため、アルミニウム等の非磁性材料から形成される。磁石体支持柱８ｃは、円柱状の部材であり、磁石体ホルダ８ｂの上面に取り付けられる。磁石体ユニット抜け止輪８ｄは、リング状の部材であり、その外径は磁石体ユニット脱落防止板に穿設された貫通孔９ａ及び磁石体ユニットストッパ板に穿設された貫通孔１０ａにおける円形部１０ｃの最長外径よりも長いものとし、その内径は磁石体支持柱８ｃの上部外側面に内接させて取り付けることにより、磁石体ユニット８が固定具本体開口部２ｂから脱落することを防止することができる。
【００３６】
磁石体ユニット脱落防止板９は、図７に図示するように、平板の両側縁を互いに向き合うように湾曲させた形状をした部材であり、図８、９、及び１１では、図示の便宜上、平板状の部材として図示している。磁石体ユニット脱落防止板９には、磁石体支持柱８ｃの外径よりも長い内径を有する平面視円形状の磁石体ユニット脱落防止板貫通孔９ａが穿設されている。磁石体ユニット脱落防止板９は、磁石体ユニット収納空間２ａ内に架け渡されている。磁石体支持柱８ｃは、磁石体ユニット脱落防止板貫通孔９ａを挿通している。
【００３７】
磁石体ユニットストッパ板１０は、図７から１２に図示するように、平板状の部材であり、平面視水滴形状の磁石体ユニットストッパ板貫通孔１０ａが穿設されている。磁石体ユニットストッパ板１０は、固定具本体貫通孔２ｃを挿通し、かつ、磁石体ユニット脱落防止板９の前記湾曲部に両側縁が侵入係合しており、磁石体ユニット脱落防止板９上に擦動可能なように載置されている。磁石体ユニットストッパ板１０は、一端が磁石体ユニットストッパ板附勢スプリング１０ｄを介して固定具本体２の内壁に取り付けられており、他端が固定具本体貫通孔２ｃから突き出ている。磁石体支持柱８ｃは、磁石体ユニットストッパ板貫通孔１０ａを挿通している。
【００３８】
磁石体支持柱８ｃは、図９及び１０に図示するように、磁石体ユニットストッパ板１０が磁石体ユニットストッパ板附勢スプリング１０ｄによって固定具本体貫通孔２ｃ方向に附勢されていることにより、自然状態では、磁石体ストッパ板貫通孔１０ａにおける切り込み部１０ｂに侵入し、切り込み部１０ｂの内側面によって押さえられているから、上下に動かすことができない。他方、磁石体支持柱８ｃは、図１１及び１２に図示するように、使用者が、固定具本体貫通孔２ｃから突き出ている磁石体ユニットストッパ板１０の一端に手をかけて矢印方向に押し込み、磁石体ユニットストッパ板貫通孔１０ａにおける円形部１０ｃと磁石体脱落防止板貫通孔９ａとを符合させることにより、上下に動かすことができる。
【図面の簡単な説明】
【００３９】
【図１】本考案の第一実施形態に係る荷締用長尺体固定具を示した全体斜視図である。
【図２】図１の平面図である。
【図３】図１の底面図である。
【図４】図１に係る荷締用長尺体固定具の取外し時の作用説明図である。
【図５】本考案の第二実施形態に係る荷締用長尺体固定具を示した全体斜視図である。
【図６】図５の底面図である。
【図７】図５に係る荷締用長尺体固定具における固定具本体の横方向の断面図である。
【図８】図５に係る荷締用長尺体固定具における固定具本体の縦方向の断面図である。
【図９】図５に係る荷締用長尺体固定具の磁着時における磁石体ユニット脱落防止板及び磁石体ユニットストッパ板の作用説明斜視図である。
【図１０】図９の作用説明平面図である。
【図１１】図５に係る荷締用長尺体固定具の着脱時における磁石体ユニット脱落防止板及び磁石体ユニットストッパ板の作用説明斜視図である。
【図１２】図１１の作用説明平面図である。
【符号の説明】
【００４０】
１  荷締用長尺体固定具
２  固定具本体
２ａ  磁石体ユニット収納空間
２ｂ  固定具本体開口部
２ｃ  固定具本体貫通孔
３  係止具
４  磁石体
５  アーム
５ａ  固定回転軸
６  ハンドル
７  ローラ
７ａ  固定回転軸
８  磁石体ユニット
８ａ  磁石体
８ｂ  磁石体ホルダ
８ｃ  磁石体支持柱
８ｄ  磁石体ユニット抜け止輪
９  磁石体ユニット脱落防止板
９ａ  磁石体ユニット脱落防止板貫通孔
１０  磁石体ユニットストッパ板
１０ａ  磁石体ユニットストッパ板貫通孔
１０ｂ  切り込み部
１０ｃ  円形部
１０ｄ  磁石体ユニットストッパ板附勢スプリング
【図１】
0003146631.tif 000003
【図２】
0003146631.tif 000004
【図３】
0003146631.tif 000005
【図４】
0003146631.tif 000006
【図５】
0003146631.tif 000007
【図６】
0003146631.tif 000008
【図７】
0003146631.tif 000009
【図８】
0003146631.tif 000010
【図９】
0003146631.tif 000011
【図１０】
0003146631.tif 000012
【図１１】
0003146631.tif 000013
【図１２】
0003146631.tif 000014